【事件の表示】
　商願２００６−１１７４１６拒絶査定不服審判事件について、次のとおり審決する。
【結　論】
　本件審判の請求は、成り立たない。
【理　由】
１　本願商標
　本願商標は、別掲１のとおりの構成よりなり、第３３類「日本酒，洋酒，果実酒，中国酒，薬味酒」を指定商品として、平成１８年１２月６日に登録出願され、その後、指定商品については、当審における同１９年１２月２６日付けの手続補正書により、第３３類「フランス国マルヌ県、エーヌ県、オーブ県、セーヌ・エ・マルヌ県内の限定地域産の発泡性ぶどう酒」と補正されたものである。
　
２　原査定の拒絶の理由の要点
　原査定において、以下の（１）、（２）及び（３）のとおり認定、判断し、本願を拒絶したものである。
（１）本願商標は、その構成中に「フランス国産」の意味合いを表すフランス語「ＰＲＯＤＵＩＴ　ＤＥ　ＦＲＡＮＣＥ」の文字及び「フランス国シャンパーニュ地方」を表す「ＣＨＡＭＰＡＧＮＥ」の文字を有するものであるから、これを指定商品中フランス国産の商品以外の商品に使用するときは商品の品質について誤認を生じさせるおそれがあるものと認める。したがって、本願商標は、商標法第４条第１項第１６号に該当する。
（２）本願商標は、その構成中に世界貿易機関の加盟国のぶどう酒又は蒸留酒の産地を表示する標章のうち当該加盟国において当該産地以外の地域を産地とするぶどう酒又は蒸留酒について使用することが禁止されている「ＣＨＡＭＰＡＧＮＥ」の文字を有するものであって、当該産地以外の地域を産地とするぶどう酒について使用する商品を含んでいるものと認める。したがって、本願商標は、商標法第４条第１項第１７号に該当する。
（３）原査定において、本願商標が商標法第４条第１項第１１号に該当するとして、本願の拒絶の理由に引用した登録商標及び商標登録出願に係る商標は、以下のとおりである。
　登録第４５０６６４１号商標（以下、「引用商標１」という。）は、別掲２のとおりの構成よりなり、平成１２年１１月１日に登録出願、第３３類「日本酒，洋酒，果実酒，中国酒，薬味酒」を指定商品として、同１３年９月１４日に設定登録されたものである。
　登録第４９６２９０２号商標（以下、「引用商標２」という。）は、別掲３のとおりの構成よりなり、平成１７年１０月５日に登録出願、第３３類「日本酒，洋酒，果実酒，中国酒，薬味酒」を指定商品として、同１８年６月２３日に設定登録されたものである。
　登録第５０２２４８６号商標（以下、「引用商標３」という。）は、別掲４のとおりの構成よりなり、平成１８年５月１日に登録出願、第３３類「日本酒，洋酒，果実酒，中国酒，薬味酒」を指定商品として、同１９年２月２日に設定登録されたものである。
　登録第５０４０１５５号商標（以下、「引用商標４」という。）は、別掲５のとおりの構成よりなり、平成１８年５月１日に登録出願、第３３類「フランス国マルヌ県、エーヌ県、オーブ県、セーヌ・エ・マルヌ県内の限定地域産の発泡性ぶどう酒」を指定商品として、同１９年４月１３日に設定登録されたものである。
　なお、本願の拒絶の理由に引用した商標登録出願２００６−４５２１５号商標及び商標登録出願２００６−４５２３９号商標の出願人は、平成１９年１２月１０日付けで出願人名義変更届が提出された結果、本願商標の請求人と同一人となったものと認められる。さらには、商標登録出願２００６−４５２１５号商標（審判２００７−１２２９０）は、平成２０年１月４日付けで請求不成立の審決が確定しているものである。
　
３　当審の判断
（１）商標法第４条第１項第１６号について
　本願商標は、その指定商品について前記１のとおり補正された結果、これをその指定商品について使用しても商品の品質について誤認を生ずるおそれはなくなった。
　したがって、本願商標が商標法第４条第１項第１６号に該当するとして本願を拒絶した原査定の拒絶の理由は、解消した。
（２）商標法第４条第１項第１７号について 
　本願商標は、その指定商品について前記１のとおり補正された結果、世界貿易機関の加盟国のぶどう酒若しくは蒸留酒の産地を表示する標章のうち当該加盟国において当該産地以外の地域を産地とするぶどう酒若しくは蒸留酒について使用をすることが禁止されている「ＣＨＡＭＰＡＧＮＥ」の文字を有するものであるが、当該産地以外の地域を産地とするぶどう酒について使用する商品を削除したものと認められる。
　したがって、本願商標が商標法第４条第１項第１７号に該当するとして本願を拒絶した原査定の拒絶の理由は、解消した。
（３）商標法第４条第１項第１１号について
　引用商標２ないし４の商標権は、商標登録原簿の記載によれば、請求人が譲渡により取得し、その移転の登録がなされているものである。
　したがって、本願商標の請求人と引用商標２ないし４の商標権者は同一人になったものであるから、本願商標と引用商標２ないし４が商標法第４条第１項第１１号に該当するものとして、本願を拒絶した原査定の拒絶の理由は解消した。
　そこで、本願商標と引用商標１との類否について検討するに、本願商標は別掲１のとおり文字と図形よりなるところ、両構成要素を常に不可分一体のものとしてのみ把握しなければならない特段の理由も見出し得ない。
　そして、本願商標は、その指定商品との関係よりすれば、これは該商品のボトルに添付するラベルを表したものと認識させる構成よりなるものであり、その構成中の上部に「フランス国シャンパーニュ地方」を表す「ＣＨＡＭＰＡＧＮＥ」の欧文字が表され、中央部に欧紋章風の図形を配し、その下部に「Ｂａｒｏｎ−Ｆｕｅｎｔｅ」（「Ｆｕｅｎｔｅ」の「ｅ」はアクサンテギュが付されている。以下同じ。）の欧文字を白抜きの筆記体により表され、その下部に該商品のアルコール濃度を表示した「１２．５％Ｖｏｌ」の文字及び容量を表示した「７５０ＭＬ」の文字との間に、仏語で「名誉、栄光、名声」という意味を有するものの、一般に親しまれているとは認められないために一種の造語と判断されることがある「ＧＬＯＩＲＥ」の文字と、その指定商品との関係において「極辛口」の意味を有する「ＢＲＵＴ」の文字とを二段に表してなり、さらに、その下部に「フランス国産」を意味する「ＰＲＯＤＵＩＴ　ＤＥ　ＦＲＡＮＣＥ」の文字を表し、最下部に判読し難い欧文字を表してなる構成よりなるものである。
　しかして、その構成中の「ＣＨＡＭＰＡＧＮＥ」及び「ＰＲＯＤＵＩＴ　ＤＥ　ＦＲＡＮＣＥ」の文字部分は、その指定商品との関係においては商品の品質を表示する部分と認められるものである。また、「ＢＲＵＴ」の文字部分についても、例えば、「スパークリング−ワインの極辛口のもの。シャンパンでは醸造過程での許容加糖量が１１あたり６−１５ｇのもの」（株式会社三省堂発行「コンサイスカタカナ語辞典第３版」）、「シャンパンのタイプの名称の一つ。シャンパンのなかでは最も辛口で最も高価である。ブリュットとは”生地のまま”という意で、シャンパン製造工程において仕上げの段階で加えられる糖分の割合いが０．５％までのもの。」（株式会社柴田書店発行「改訂明解ワイン辞典」）及び「生地のままという意味で、甘味調節液の砂糖濃度が１％以下のもの。『生一本』あるいは『極辛口』と呼ばれる。」（株式会社真珠書院発行「酒（新・食品事典１２）」）と記載されているものであり、さらに「ＢＲＵＴ」の語は、本願指定商品「ぶどう酒」を取り扱う業界において、商品の品質を表す語として使用されていることが、新聞、インターネット等に、次のように掲載されていることが窺い知ることができる。
（ア）「日本食糧新聞」（２００７年９月５日付け）
「『マム　コルドン　ルージュＦ１』発売（ペルノ・リカール・ジャパン）」の見出しのもと、「フレッシュで生き生きとした味わいが特徴のブリュット（辛口）シャンパン。」の記載がある。
（イ）「日本経済新聞　日経プラスワン」（２００６年１２月２日付け３頁）
「スパークリングワイン　乾杯シュワッと華やかに（買物百科）」の見出しのもと、「スパークリングワインの選び方として甘口か辛口かという判断基準がある。ラベルに『Ｂｒｕｔ（ブリュット）』との表記があれば辛口、『Ｄｅｍｉ　Ｓｅｃ（ドミセック）』は甘口と覚えておくと便利だ。」の記載がある。
（ウ）「朝日新聞　東京夕刊」（２００６年２月１日付け７頁）
「シャンパンはいかが？グラス一杯、気軽に」の見出しのもと、「シャンパンを大別すると『ノンビンテージ』（ＮＶ）と、ブドウの出来が秀逸な年に誕生する『ビンテージ』の２種。気軽に楽しむのであれば、ＮＶがお薦めだ。辛口、甘口とあるが、『ブリュット』と呼ばれる辛口が一般的。」の記載がある。
（エ）「日本食糧新聞」（２００６年３月２０日付け）
「『ローズラベル　ハーフ』発売（ヴーヴ・クリコ・ジャパン）」の見出しのもと、「発泡酒。ノン・ヴィンテージのブリュット（辛口）のシャンパーニュ」の記載がある。
（オ）「シャトー訪問記　ペリエ・ジュエ（上）ブリュット（辛口）の先駆者」を見出しとするウェブサイトにおいて、「ところが、１８３０年代に入ると、英国の消費者からシロップ風味の強いシャンパーニュに対する反発が強まった。そこで、このメゾンは顧客の好みに合わせて、糖分添加を行わない辛口のシャンパーニュを造った。１８５４年のことだ。ローラン・ペリエの『ウルトラ・ブリュット』の原型となるノン・ドサージュの『サン・スクレ』が発売されたのが１８８９年。辛口をさす『ブリュット』という名前は１８８０年代にポピュラーになったそうだ。」の記載がある。
（http://www.yomiuri.co.jp/gourmet/drink/chateau/20050525gr05.htm）
（カ）「シャンパンの最新トレンド、辛口・無添加の『ブリュット・ゼロ』−フランス」を見出しとするウェブサイトにおいて、「世界市場でシャンパンの売り上げの９５％を占めるブリュット（ｂｒｕｔ）と呼ばれる辛口の種類でさえ、１本につきティースプーンに３杯ほどの砂糖が入っている。」の記載がある。
（http://www.afpbb.com/article/1007928）
　以上の事実及び本願商標の構成等により、本願商標の自他商品の識別標識としての機能を果たし得る部分は、その構成全体、欧紋章風の図形部分、「Ｂａｒｏｎ−Ｆｕｅｎｔｅ」及び「ＧＬＯＩＲＥ」の文字部分と判断されるものである。
　そして、その構成中「Ｂａｒｏｎ−Ｆｕｅｎｔｅ」及び「ＧＬＯＩＲＥ」の文字部分は、その文字の書体、大きさ及び色を異にするものであり、両文字を不可分一体にのみ認識されなければならない特段の理由も見出し得ないため、本願商標に接する取引者、需要者は、両文字部分より生ずる「バロンフェンテ」及び「グロワール」のそれぞれの称呼をもって取引に資する場合も決して少なくないといわなければならない。
　ゆえに、本願商標は、「Ｂａｒｏｎ−Ｆｕｅｎｔｅ」及び「ＧＬＯＩＲＥ」の文字部分より「バロンフェンテ」及び「グロワール」の称呼を生ずるものとみるのが自然である。
　他方、引用商標１は、別掲２のとおり、「ＴａＫａＲａ」、「ＧＬＯＩＲＥ」及び「グロワール」の文字をそれぞれ三段に書してなるところ、「ＧＬＯＩＲＥ」及び「グロワール」の文字は、「ＴａＫａＲａ」の文字に比べて大きい文字で書してなるものである。そして、該「ＴａＫａＲａ」の文字部分は、引用商標の商標権者の代表的ハウスマークと認められるものであり、しかも、引用商標を構成する「ＴａＫａＲａ」の文字と、「ＧＬＯＩＲＥ」及び「グロワール」の文字とが、常に不可分一体にのみ認識されなければならない特別の理由も見出し得ないところから、引用商標１は、「ＧＬＯＩＲＥ」及び「グロワール」の文字部分を捉え、これより生ずる称呼をもって取引に資する場合も決して少なくないといわなければならない。
　そうとすると、引用商標１は、その構成文字全体に相応して「タカラグロワール」の一連の称呼を生ずるほか、「ＧＬＯＩＲＥ」及び「グロワール」の文字部分に相応して「グロワール」の称呼をも生ずるものである。
　次に、本願商標及び引用商標１の外観上の差異についてみると、本願商標は別掲１のとおり文字と図形よりなり、引用商標１は、前記のとおり「ＴａＫａＲａ」、「ＧＬＯＩＲＥ」及び「グロワール」の文字をそれぞれ三段に書してなる構成よりなるから、両商標は、その外観において明らかに異なるといえるが、他方、両商標の構成中「ＧＬＯＩＲＥ」の各文字部分は、同一であるから、外観上近似した印象を与えるものである。
　さらに、本願商標及び引用商標１の観念上の差異についてみると、商標の類否判断の要素としての観念とは、多くの取引者、需要者がその商標自体から直ちに一定の意義を想起させるものであることを要するものというべきであるところ、両商標において自他商品の識別標識として機能を有するものと認められる「ＧＬＯＩＲＥ」の文字は、我が国において親しまれた英語等の外国語とはいい難いから一種の造語と理解される場合があるとしても、前記意味を同じくするものである。してみれば、観念上で明確な違いを有するものではないから、その違いにより、両者が別異のものとして明確に区別されるとはいえないものである。
　してみれば、本願商標と引用商標１とは、外観において相違するものであるとしても、「ＧＬＯＩＲＥ」の各文字部分について同一であり、観念においては明確な違いを有するものではなく、「グロワール」の称呼を共通にする類似の商標というべきである。
　また、本願商標の指定商品は、引用商標１の指定商品と同一又は類似のものである。
　したがって、本願商標が商標法第４条第１項第１１号に該当するものであるとして本願を拒絶した原査定は、妥当なものであって、これを取り消すべき限りでない。
　よって、結論のとおり審決する。